(57)【特許請求の範囲】
【請求項１】
電気部品を搭載した配線基板を備える電源回路部が、樹脂製の一体成形体でなる保護カバーにより覆われ、上記配線基板に接続された電源コードが、上記電源回路部を収容している筐体の外板の電源コード引出し口を挿通して筐体の外部に引き出されている電気機器において、
配線基板に接続されている電源コードの先端部から上記電源コード引出し口に挿通されている引出し始端部に至る筐体内引廻し部分に当接して、その筐体内引廻し部分が上記電気部品に当たらないように位置規制する位置規制片を追加していると共に、その位置規制片が、上記保護カバーに樹脂で一体成形されていて、
上記保護カバーが、上記電気部品の頂部を上方で覆っている上板部と、上記配線基板の裏側に配備されている下板部と、それらの上板部と下板部とに亘る立上り板部とを備えて、上記立上り板部が筐体の上記外板の一部を形成して上記電源コード引出し口を有する背板に重ね合わされていると共に、上記位置規制片が入隅形状に形成されて上記上板部から垂下され、その入隅箇所に上記電源コードの筐体内引廻し部分が収容されていることを特徴とする電気機器の電源コード引出し部構造。
【発明の詳細な説明】
【技術分野】
【０００１】
本発明は、電気機器の電源コード引出し部構造、特に、高圧を伴う電源回路部が板金製の筐体に収容されている電気機器に関し、電源回路部を樹脂製の一体成形体でなる保護カバーで覆わせることにより筐体から電源回路部の背高部品や半田付け箇所などに至る直線距離（間隔）や沿面距離を延長させ、そうすることによって安全性や電気的特性を向上させてある電気機器の電源コード引出し部構造に関する。
【背景技術】
【０００２】
近時、ＤＶＤドライブなどの電気機器では、その筐体の薄形化ないし偏平化が顕著に促進されているという背景があり、筐体を板金製とした場合には、筐体の外板を形成している天板や底板、側板などとその筐体に収容されている電源回路部との間隔を十分に広く確保したり、筐体の天板や底板、側板などから電源回路部に至る沿面距離を十分に長くしたりして、使用時の安全性や電気的特性を確保することが要請されている。
【０００３】
この要請に応えるために、電源回路部のコンデンサーなどの背高部品の高さ寸法をできるだけ低く抑えて電源回路部と筐体の天板などとの間隔を広く確保して安全性や電気的特性を高めたり、筐体の天板の裏面などに電気絶縁製シートを貼り付けたりすることによって、使用時の安全性や電気的特性を確保するという対策が講じられていた。
【０００４】
しかしながら、筐体の天板や底板、側板などを板金製とした電気機器において、使用時の安全性や電気的特性を確保しつつその筐体の薄形化ないし偏平化を図るための対策として、上記した高さ寸法の低いコンデンサーなどの背高部品を採用すると、そのような背高部品が高価であるためにコスト高になる。また、筐体の天板の裏面などに絶縁性シートを貼り付けるという手段を採用すると、その電気絶縁性シートが剥がれたときには、必要とされる安全性や電気的特性が保たれなくなる。
【０００５】
そこで、本願発明者は、高さの低い高価な背高部品を用いなくても、薄形化ないし偏平化された筐体の天板などと電源回路部との間での電気絶縁性を十分に確保することのできるようにすることを意図して鋭意研究を重ねた。その結果、電源回路部を樹脂製の一体成形体でなる保護カバーにより覆わせておくと、その保護カバーの作用によって、薄形化ないし偏平化された筐体の天板などがコンデンサーなどの背高部品に接触することが阻止されて筐体と電源回路部との間での電気絶縁性が十分に確保されることが判った（たとえば、特許文献１参照）。この特許文献１によって示されている保護カバーは、板金でなる筐体の内隅部に配備されていて、筐体の天板と電源回路部との間に介在された上板部と、電源回路部の配線記の下側に配置された下板部と、筐体の背板と電源回路部との間に介在された後板部とを有している。
【０００６】
一方、ＡＣコードが筐体の鉄板シャーシに当たらないようにすることを意図して、ＡＣコードの筐体内引廻し部分を線保持具によって定位置に保持することが提案されている（たとえば、特許文献２参照）。また、筐体としてのケースの裏側に電源コードを引き出す場合の電源コード固定構造についての提案もあった（たとえば、特許文献３参照）。
【特許文献１】実用新案登録第３１２８３８７号公報
【特許文献２】特開２００２−３１９７７３号公報
【特許文献３】特開２００２−１３４９５０号公報
【発明の開示】
【発明が解決しようとする課題】
【０００７】
しかしながら、特許文献１に記載されているような、保護カバーを設置している電気機器にあっては、電源回路部の配線基板に接続されている電源コードが、筐体の外板の背板に備わっている電源コード引出し口を挿通して筐体の外部に引き出されている、という構成が一般的に採用される。このため、配線基板に接続されている電源コードの先端部から電源コード引出し口に挿通されている引出し始端部に至る筐体内引廻し部分が保護カバーの側部に位置するような状況下では、電源コードの筐体内引廻し部分が保護カバーの上板部と下板部との対向空間に臨むために、その筐体内引廻し部分が上記対向空間に入り込んで電源回路部の電気部品に接触するおそれがあり、仮にそのような接触が起こると安全性が低下することになる。
【０００８】
そこで、特許文献２に記載されているような線保持具によって電源コードの筐体内引廻し部分を保持させることが考えられるけれども、そのようにすると、線保持具が余分に必要になって必要部品点数が増加し、そのことが組立工数の増加につながって組立ラインでの量産性が阻害されたりコストアップになったりするという問題がある。また、電源コードに二重被覆コードなどの高絶縁性処理のなされたものを用いることも考えられるけれども、そのような電源コードはそれ自体が高価で、そのことが電気機器のコストアップにつながるという問題がある。
【０００９】
本発明は、以上の問題に鑑みてなされたものであり、特許文献１に記載されている保護カバーの作用によって電源回路部と筐体との直線距離や沿面距離を延長させ、そうすることによって安全性や電気的特性を向上させてある電気機器において、線保持具などの余分な部品を追加することなく、また、二重被覆コードなどの高価な電源コードを用いることなく、配線基板に接続されて筐体から引き出されている電源コードの筐体内引廻し部分が電源回路部の電気部品などに接触して安全性を損なうという事態を未然に防ぐことのできる電源コード引出し部構造を提供することを目的とする。
【課題を解決するための手段】
【００１０】
本発明に係る電気機器の電源コード引出し部構造では、電気部品を搭載した配線基板を備える電源回路部が、樹脂製の一体成形体でなる保護カバーにより覆われ、上記配線基板に接続された電源コードが、上記電源回路部を収容している筐体の外板の電源コード引出し口を挿通して筐体の外部に引き出されている。そして、配線基板に接続されている電源コードの先端部から上記電源コード引出し口に挿通されている引出し始端部に至る筐体内引廻し部分に当接して、その筐体内引廻し部分が上記電気部品に当たらないように位置規制する位置規制片を追加していると共に、その位置規制片が、上記保護カバーに樹脂で一体成形されている。
【００１１】
この構成を採用すると、位置規制片によって、電源コードの筐体内引廻し部分が電源回路部の電気部品に当たらないように位置規制されるために、電源コードが電気部品に当接して安全性が損なわれるという事態が起こらない。しかも、その位置規制片が、電源回路部を覆っている樹脂製の保護カバーに樹脂で一体成形されているために、位置規制片を追加してあるとしても必要部品点数が増加することにはならない。
【００１２】
また、上記保護カバーが、上記電気部品の頂部を上方で覆っている上板部と、上記配線基板の裏側に配備されている下板部と、それらの上板部と下板部とに亘る立上り板部とを備えて、上記立上り板部が筐体の上記外板の一部を形成して上記電源コード引出し口を有する背板に重ね合わされていると共に、上記位置規制片が入隅形状に形成されて上記上板部から垂下され、その入隅箇所に上記電源コードの筐体内引廻し部分が収容されている。この構成によると、位置規制片の入隅箇所に電源コードの筐体内引廻し部分が収容されていることにより、位置規制片による電源コードに対する位置規制作用が確実に発揮されるようになる。
【発明の効果】
【００１３】
以上のように、本発明に係る電気機器の電源コード引出し部構造によれば、保護カバーの作用によって電源回路部と筐体との直線距離や沿面距離を延長させて安全性や電気的特性を向上させてある電気機器において、線保持具などの余分な部品を追加することなく、また、二重被覆コードなどの高価な電源コードを用いることなく、配線基板に接続されて筐体から引き出されている電源コードの筐体内引廻し部分が電源回路部の電気部品などに接触して安全性を損なうという事態が未然に防止されるようになる。その結果、ユーザにとっては、安価で安全性の高い電気機器を使用することが可能になる。
【発明を実施するための最良の形態】
【００１４】
図１は本発明に係る電源コード引出し部構造の概略斜視図である。また、図２は位置規制片６を一体に備えた保護カバー５を斜め前から見て示した概略斜視図、図３は同保護カバー５を斜め後から見て示した概略斜視図、図４は上記電源コード引出し部構造を採用したＤＶＤドライブとしての電気機器を背面側（後側）から見て示した外観斜視図である。
【００１５】
図４のように、電気機器Ａは偏平な薄型の筐体１に、図示していないＤＶＤドライブ本体やその他の必要な要素が収容されていて、その要素のうちの１つに後述する電源回路部が含まれている。また、筐体１は、偏平箱形に組み合わされた板金製のボトムカバー１２と同じく板金製のトップカバー１３と備えていると共に、それらのボトムカバー１２及びトップカバー１３の前端に樹脂成形体でなるフロントパネル１４が配備されている。そして、筐体１の天板１５がトップカバー１３の天板によって形成され、筐体１の左右両側の側板１６がトップカバー１５とボトムカバー１４とにそれぞれ備わっている側板の合わせ構造によって形成され、筐体１の背板１７がボトムカバー１４の背板によって形成され、筐体１の底板（不図示）がボトムカバー１４の底板によって形成されている。なお、２１はファン、２２は端子群を示している。
【００１６】
図１のように、電源回路部３は、電源基板としての配線基板３１に電気部品としてのラインフィルター３２やトランス３４などのほか、図示していない背高部品としてのコンデンサーや放熱板などを搭載してなり、ラインフィルター３２やトランス３４の一次側回路、コンデンサーなどが一次側電源回路に含まれる。この電源回路部３は、数点の取付ビス３５を用いて筐体１の底板に固定されていると共に、筐体１の天板１５（図１参照）と底板と片側の側板１６（図１参照）と背板１７とにより囲まれて形作られた内隅部に配備されている。そして、電源回路部３の配線基板３１に接続されている電源コード４が筐体１の内部で引き廻されていると共に、筐体１の背板１７に備わっている電源コード引出し口１９を挿通して筐体１の外部に引き出されている（図１参照）。
【００１７】
電源回路部３には、図２及び図３にも示した樹脂の一体成形体でなる保護カバー５が設置されている。保護カバー５は、平坦な上板部５１と、この上板部５１に比較して細長く形成された平坦で略矩形の下板部５２と、これらの下板部５２と上板部５１とに亘る立上り板部５３とを備えていて、それらの上板部５１と下板部５２と立上り板部５３とが側面視略コ字形を形作っている。この保護カバー５の所定箇所に高さ方向に延びる入隅部５７，５７（図１及び図３に示されている）が形成されていて、これらの入隅部５７，５７に取付ビス挿通孔６１，６１を備えるビス止め片６３，６３が一体に成形されている。さらに、図２に示したように、立上り板部５３の内面の所定間隔を隔てた複数箇所に縦リブ６５が形成されていて、この縦リブ６５の高さ方向中間部を欠除させることによって形成した溝部６６に、配線基板３１の端縁を差し込むことができるようになっている。したがって、保護カバー５には、溝部６６を有する縦リブ６５によって配線基板ホルダーとしての機能が付与されている。
【００１８】
保護カバー５は、図１のように、配線基板３１とその配線基板３１に搭載されている電気部品などの一次側電気部品を覆って配備される。言い換えると、配線基板３１を筐体１の底板１８にビス止めするのに先立って、その配線基板３１を保護カバー５の上板部５１と下板部５２との対向空間に嵌め込むことによって、一次側電気部品やそれらの電気部品と配線基板３１との電気的接続箇所などを上記対向空間に配備し、その後、配線基板３１を筐体１の底板にビス止めすると共に、図２や図３に示した保護カバー５のビス止め片６３，６３を取付ビス（不図示）を用いて筐体１に固定するという取付工程が行われる。
【００１９】
このようにして配線基板３１や保護カバー５を筐体１に固定する場合に、配線基板３１の後端縁が保護カバー５側の上記縦リブ６５の溝部６６に差し込まれている。そのため、保護カバー５と配線基板３１とが配線基板３１の厚さ方向で位置決めされて、振動や落下衝撃などが加わっても電気部品と保護カバー５とが干渉するという事態が起こらないようになっている。
【００２０】
上記のように、筐体１に電源回路部３が嵌め込まれた保護カバー５が配備されていると、筐体１の天板１５の位置を電源回路部３の電気部品に可及的近接させることによってその筐体１の薄形化ないし偏平化を図ってあるとしても、保護カバー５の上板部５１が筐体１の天板１５と電気部品のうちの最も背高の部品であるコンデンサーの頂部との間に介在され、保護カバー５の下板部５２が筐体１の底板と電気的接続箇所（半田付け箇所）との間に介在される。そのため、筐体１が外力を受けて撓んだとしても、その天板１５や底板１８が電気部品や電気的接続箇所に直接に接触するという事態が保護カバー５の上板部５１や下板部５２によって阻止されるようになり、筐体１と電気部品や電気的接続箇所とがショートしてユーザが感電するという事態が起こらず、当該電気機器の安全性が高まる。保護カバー５の上板部５１や下板部５２などについて上記したショート阻止作用は、その保護カバー５の立上り板部５３などによっても発揮される。すなわち、立上り板部５３は、筐体１の背板１７が電気部品に接触することを防ぐことに役立つ。
【００２１】
また、保護カバー５が筐体１と電源回路部３との間に介在されている構成になっているため、その保護カバー５が筐体１と電源回路部３との沿面距離を増大させて当該電気機器の電気的特性を高めることにも役立っている。
【００２２】
図１のように、この実施形態の電気コード引出し部構造では、配線基板３１に接続されている電源コード４の先端部４１から電源コード引出し口１９に挿通されている引出し始端部４２に至る筐体内引廻し部分４５が、上記した保護カバー５に樹脂で一体成形されている位置規制片６によって電源回路部３の電気部品に当たらないように位置規制されている。図２又は図３のように、この位置規制片６は、保護カバー５の上板部５１の側端縁から垂下された垂下片部６１と、この垂下片部６１の下端から保護カバー５の外側へ直角に突き出た横向き片６２とによって入隅形状に形作られている。そして、その位置規制片６の入隅箇所Ｓに図１又は図３のように電源コード４の筐体内引廻し部分４５が収容されている。
【００２３】
上記のように、位置規制片６によって、電源コード４の筐体内引廻し部分４５が電源回路部３のコンデンサーなどの電気部品に当たらないように位置規制されていると、その筐体内引廻し部分４５が保護カバー５の上板部５１と下板部５２との対向空間に入り込むという事態が起こらなくなる。そのため、電源コード５が電源回路部３の電気部品に接触するおそれがなくなって安全性が向上する。
【００２４】
また、位置規制片６は、電源回路部３を覆っている樹脂製の保護カバー５に樹脂で一体成形されているために、位置規制片６を追加してあるとしても必要部品点数は増加しない。したがって、組立ラインでの量産性が阻害されることもない。
【００２５】
この実施形態では、位置規制片６を、保護カバー５の上板部５１の側端縁に連設してある事例を説明したけれども、この点は、電源回路部３の構成に応じて変わる保護カバー５の形状を勘案した上で、電源回路部３の電気部品と干渉しない位置に位置規制片６を配備することができる。
【図面の簡単な説明】
【００２６】
【図１】本発明に係る電源コード引出し部構造の概略斜視図である。
【図２】位置規制片を一体に備えた保護カバーを斜め前から見て示した概略斜視図である。
【図３】同保護カバーを斜め後から見て示した概略斜視図である。
【図４】本発明に係る電源コード引出し部構造を採用した電気機器を背面側（後側）から見て示した外観斜視図である。
【符号の説明】
【００２７】
１  筐体
３  電源回路部
４  電源コード
５  保護カバー
６  位置規制片
１７  筐体の背板
１９  電源コード引出し口
３１  配線基板
４１  電源コードの先端部
４２  電源コードの引出し始端部
４５  筐体内引廻し部分
５１  上板部
５２  下板部
５３  立上り板部
Ｓ  位置規制片の入隅箇所
【図１】
0004784568.tif 000002
【図２】
0004784568.tif 000003
【図３】
0004784568.tif 000004
【図４】
0004784568.tif 000005